(57)【要約】【課題】  電線張力が過大となるような場合にも、がいしのピン結合箇所における回転運動を抑制し、電線の損傷・断線を防止する懸垂がいしのピン結合箇所に設ける回転ピンダンパーを提供する。【解決手段】  懸垂がいしのピン結合箇所に設ける回転ピンダンパーにおいて、相対運動が可能な固定金具１，２間又は結合ピン３と固定金具１，２との間に磁気ダンパー５を配置する。【選択図】  図１
2011161961.tif 000002
【特許請求の範囲】
【請求項１】
相対運動が可能な固定金具間又は結合ピンと固定金具との間に磁気ダンパーを配置することを特徴とする懸垂がいしのピン結合箇所に設ける回転ピンダンパー。
【請求項２】
請求項１記載の懸垂がいしのピン結合箇所に設ける回転ピンダンパーにおいて、前記固定金具は中央に配置された上部固定金具と上部固定金具の両側に配置された下部固定金具とを具備し、前記磁気ダンパーは、前記結合ピンの外周面の一部に位置するとともに、前記上部固定金具の側面と前記下部固定金具の側面との間に位置するリング状の磁気ワッシャであることを特徴とする懸垂がいしのピン結合箇所に設ける回転ピンダンパー。
【請求項３】
請求項２記載の懸垂がいしのピン結合箇所に設ける回転ピンダンパーにおいて、前記リング状の磁気ワッシャは、中央部に配置される断面がＴ字形状のリング状の磁性体と、該磁性体の両側の庇部に配置される永久磁石とを具備することを特徴とする懸垂がいしのピン結合箇所に設ける回転ピンダンパー。
【請求項４】
請求項２記載の懸垂がいしのピン結合箇所に設ける回転ピンダンパーにおいて、前記リング状の磁気ワッシャは、リング状の磁性体からなることを特徴とする懸垂がいしのピン結合箇所に設ける回転ピンダンパー。
【請求項５】
請求項２記載の懸垂がいしのピン結合箇所に設ける回転ピンダンパーにおいて、前記リング状の磁気ワッシャは、等間隔に形成された複数の孔に永久磁石をそれぞれ嵌合したリング状の磁性体からなることを特徴とする懸垂がいしのピン結合箇所に設ける回転ピンダンパー。
【請求項６】
請求項１記載の懸垂がいしのピン結合箇所に設ける回転ピンダンパーにおいて、固定金具は、中央に配置された上部固定金具と上部固定金具の両側に配置された下部固定金具とを具備し、前記磁気ダンパーは、前記上部固定金具の穴及び前記下部固定金具の穴それぞれの内周面に対応する前記結合ピンの外周面上に配置される前記永久磁石を具備することを特徴とする懸垂がいしのピン結合箇所に設ける回転ピンダンパー。
【発明の詳細な説明】
【技術分野】
【０００１】
本発明は、電車線路設備のき電線等を懸垂がいしで支持する箇所において回転運動を抑制する制振装置としての、懸垂がいしのピン結合箇所に設ける回転ピンダンパーに関するものである。
【背景技術】
【０００２】
図５は従来の電車線路の装柱を示す図面代用写真である。
【０００３】
この図に示すように、電車線路には、電柱１０１が配置され、電柱１０１の上部には腕金１０２が配置され、その腕金１０２に懸垂がいし１０３が設けられ、き電線１０４を懸垂するようにしている。１０５はＡＴ保護線、１０６は架空地線である。
【０００４】
図６は従来のき電線を懸垂支持するがいしを示す図であり、図６（ａ）は正面図、図６（ｂ）は側面図である。
【０００５】
これらの図において、２０１は懸垂がいし、２０２はＵクレビス、２０３はＵクレビスリング、２０４は電線ちょう架金具、２０５は電線である。
【０００６】
このように、電線２０５は、複数の懸垂がいし２０１を介してＵクレビスリング２０３に支持される電線ちょう架金具２０４により懸垂支持される。
【０００７】
電線の振動を抑制するための装置としては、径間中央付近にダンパーを設けたり、長い径間を有する箇所には電車線柱を増設するなどの必要がある。
【先行技術文献】
【特許文献】
【０００８】
【特許文献１】なし
【発明の概要】
【発明が解決しようとする課題】
【０００９】
地震時や強風時において、がいしによって懸垂支持している電線が振動して、電線張力が過大となるが、あるいはがいし支持部において電線の曲げ応力が過大になるなどして、電線が損傷・断線するなどの問題がある。
【００１０】
また、地震時や強風時、列車通過時における金具や電線の振動疲労が蓄積し、寿命が短くなるという問題がある。
【００１１】
本発明は、上記状況に鑑みて、電線張力が過大となるような場合にも、がいしのピン結合箇所における回転運動を抑制し、電線の損傷・断線を防止する懸垂がいしのピン結合箇所に設ける回転ピンダンパーを提供することを目的とする。
【課題を解決するための手段】
【００１２】
本発明は、上記目的を達成するために、
〔１〕懸垂がいしのピン結合箇所に設ける回転ピンダンパーにおいて、相対運動が可能な固定金具間又は結合ピンと固定金具との間に磁気ダンパーを配置することを特徴とする。
【００１３】
〔２〕上記〔１〕記載の懸垂がいしのピン結合箇所に設ける回転ピンダンパーにおいて、前記固定金具は中央に配置された上部固定金具とこの上部固定金具の両側に配置された下部固定金具とを具備し、前記磁気ダンパーは、前記結合ピンの外周面の一部に位置するとともに、前記上部固定金具の側面と前記下部固定金具の側面との間に位置するリング状の磁気ワッシャであることを特徴とする。
【００１４】
〔３〕上記〔２〕記載の懸垂がいしのピン結合箇所に設ける回転ピンダンパーにおいて、前記リング状の磁気ワッシャは、中央部に配置される断面がＴ字形状のリング状の磁性体と、この磁性体の両側の庇部に配置される永久磁石とを具備することを特徴とする。
【００１５】
〔４〕上記〔２〕記載の懸垂がいしのピン結合箇所に設ける回転ピンダンパーにおいて、前記リング状の磁気ワッシャは、リング状の磁性体からなることを特徴とする。
【００１６】
〔５〕上記〔２〕記載の懸垂がいしのピン結合箇所に設ける回転ピンダンパーにおいて、前記リング状の磁気ワッシャは、等間隔に形成された複数の孔に永久磁石をそれぞれ嵌合したリング状の磁性体からなることを特徴とする。
【００１７】
〔６〕上記〔１〕記載の懸垂がいしのピン結合箇所に設ける回転ピンダンパーにおいて、固定金具は、中央に配置された上部固定金具とこの上部固定金具の両側に配置された下部固定金具とを具備し、前記磁気ダンパーは、前記上部固定金具の穴及び前記下部固定金具の穴それぞれの内周面に対応する前記結合ピンの外周面上に配置される前記永久磁石を具備することを特徴とする。
【発明の効果】
【００１８】
本発明によれば、次のような効果を奏することができる。
【００１９】
（１）地震時や強風時における下部固定金具に支持される電線の振動を抑制して、電線の損傷・断線等を防止することにより、電気鉄道の安全性・安定性の向上を図ることができる。
【００２０】
（２）地震時や強風時、列車通過時における金具や電線の振動疲労を軽減し、設備の長寿命化を図ることにより、保全を効率化し、設備の信頼性を向上することができる。
【図面の簡単な説明】
【００２１】
【図１】本発明の第１実施例を示す懸垂がいしのピン結合箇所に設けられる回転ピンダンパーの模式図である。
【図２】本発明の第２実施例を示す懸垂がいしのピン結合箇所に設けられる回転ピンダンパーの模式図である。
【図３】本発明の第３実施例を示す懸垂がいしのピン結合箇所に設けられる回転ピンダンパーの模式図である。
【図４】本発明の第４実施例を示す懸垂がいしのピン結合箇所に設けられる回転ピンダンパーの模式図である。
【図５】従来の電車線路の装柱を示す図面代用写真である。
【図６】従来のき電線を懸垂支持するがいしを示す図である。
【発明を実施するための形態】
【００２２】
本発明の懸垂がいしのピン結合箇所に設けられる回転ピンダンパーは、相対運動が可能な固定金具間又は結合ピンと固定金具との間に磁気ダンパーを配置する。
【実施例】
【００２３】
以下、本発明の実施の形態について詳細に説明する。
【００２４】
図１は本発明の第１実施例を示す懸垂がいしのピン結合箇所に設けられる回転ピンダンパーの模式図である。
【００２５】
この図において、１は中央に配置される第１の固定金具（上部固定金具）、２は第１の固定金具１の両側に配置される第２の固定金具（下部固定金具）、３は第１の固定金具１の穴１Ａと第２の固定金具２の穴２Ａ，２Ｂとを貫通して第１の固定金具１と第２の固定金具２を連結する磁性体（ここでは鉄）からなる結合ピン（コッタボルト）、４は結合ピン３の先端に装着されるナット、５は第１の固定金具１の片側の側面１Ｂと第２の固定金具２の内部側面２Ｃとの間に配置される、磁気ダンパーとしての薄リング永久磁石貼付タイプの磁気ワッシャであり、中央に断面がＴ字形状のリング状の磁性体（ここでは鉄）５Ａと、この磁性体５Ａの庇部にリング状の永久磁石５Ｂ，５Ｃを、第１の固定金具１の片側の側面１Ｂと第２の固定金具２の内部側面２Ｃとの間に配置するようにしている。
【００２６】
このように、簡単な構造の磁気ワッシャ５を構成することができ、磁性体からなる結合ピン３の周辺部位において、永久磁石５Ｂ，５Ｃからの磁束線はＴ字形状の磁性体５Ａの外周領域側に閉回路をつくる。したがって、永久磁石５Ｂ，５Ｃからの磁束線によってピン結合箇所における回転運動を抑制し、電線の損傷・断線を防止することができる。
【００２７】
図２は本発明の第２実施例を示す懸垂がいしのピン結合箇所に設けられる回転ピンダンパーの模式図である。
【００２８】
この図において、１は中央に配置される第１の固定金具（上部固定金具）、２は第１の固定金具１の両側に配置される第２の固定金具（下部固定金具）、３は第１の固定金具１の穴１Ａと第２の固定金具２の穴２Ａ，２Ｂとを貫通して第１の固定金具１と第２の固定金具２を連結する磁性体（ここでは鉄）からなる結合ピン（コッタボルト）、４は結合ピン３の先端に装着されるナット、１１は第１の固定金具１の片側の側面１Ｂと第２の固定金具２の内部側面２Ｃとの間に配置される、磁気ダンパーとしての薄リング永久磁石貼付タイプの磁気ワッシャであり、この磁気ワッシャ１１はリング状の磁性体からなる。
【００２９】
このように、この第２実施例では、極めて簡素な薄リング永久磁石貼付タイプの磁気ワッシャを用いるようにしたので、取り付けが容易であり、しかも、コスト低減を図ることができる。
【００３０】
図３は本発明の第３実施例を示す懸垂がいしのピン結合箇所に設けられる回転ピンダンパーの模式図である。
【００３１】
この図において、１は中央に配置される第１の固定金具（上部固定金具）、２は第１の固定金具１の両側に配置される第２の固定金具（下部固定金具）、３は第１の固定金具１の穴１Ａと第２の固定金具２の穴２Ａ，２Ｂとを貫通して第１の固定金具１と第２の固定金具２を連結する磁性体（ここでは鉄）からなる結合ピン（コッタボルト）、４は結合ピン３の先端に装着されるナット、２１は第１の固定金具１の片側の側面１Ｂと第２の固定金具２の内部側面２Ｃとの間に配置される、磁気ダンパーとしての薄リング永久磁石貼付タイプの磁気ワッシャであり、この磁気ワッシャ２１は、リング状の磁性体２１Ａを配置し、この磁性体２１Ａに等間隔に孔２１Ｂ〜２１Ｉを形成し、この孔２１Ｂ〜２１Ｉ内に円筒状の永久磁石２１Ｊ〜２１Ｑを嵌合している。
【００３２】
このように、この第３実施例では磁性体２１Ａに形成された孔２１Ｂ〜２１Ｉに円筒状の永久磁石２１Ｊ〜２１Ｑを嵌合するようにしたので、構造的に堅牢な磁気ワッシャを作製することができる。なお、ここでは円筒状の永久磁石２１Ｊ〜２１Ｑを設けるようにしたが、この数は適宜増減することができる。
【００３３】
図４は本発明の第４実施例を示す懸垂がいしのピン結合箇所に設けられる回転ピンダンパーの模式図である。
【００３４】
この第４実施例では、１は中央に配置される第１の固定金具（上部固定金具）、２は第１の固定金具１の両側に配置される第２の固定金具（下部固定金具）、３は第１の固定金具１の穴１Ａと第２の固定金具２の穴２Ａ，２Ｂとを貫通して第１の固定金具１と第２の固定金具２を連結する磁性体（ここでは鉄）からなる結合ピン（コッタボルト）、４は結合ピン３の先端に装着されるナット、３１は結合ピン３の外周面上に形成される磁気ダンパーであり、この磁気ダンパー３１は、結合ピン３の外周面３Ａに埋め込まれるリング状の永久磁石３１Ａ〜３１Ｃを備えている。
【００３５】
この第４実施例によれば、地震時や強風時において、がいしによって懸垂支持している電線が振動して、電線張力が過大となるような場合にも、結合ピン３の外周面３Ａに埋め込まれた永久磁石３１Ａ〜３１Ｃからの磁束線によって、ピン結合箇所における回転運動を抑制し、電線の損傷・断線を防止することができる。なお、ここでは永久磁石３１Ａ〜３１Ｃを設けるようにしたが、この数は適宜増減することができる。
【００３６】
上記したように、本発明によれば、第１の固定金具と第２の固定金具と結合ピンとの周りに磁気ダンパーを配置するようにしたので、この磁気ダンパーの磁気力により、第２の固定金具（下部固定金具）に支持される電線の地震時や強風時における振動を抑制して、電線の損傷・断線等を防止することにより、電気鉄道の安全性・安定性の向上を図ることができる。
【００３７】
なお、本発明は上記実施例に限定されるものではなく、本発明の趣旨に基づき種々の変形が可能であり、これらを本発明の範囲から排除するものではない。
【産業上の利用可能性】
【００３８】
本発明の懸垂がいしのピン結合箇所の回転ピンダンパーは、電線張力が過大となるような場合にもがいしのピン結合箇所における回転運動を抑制し、電線の損傷・断線を防止するダンパーとして利用可能である。
【符号の説明】
【００３９】
１    第１の固定金具（上部固定金具）
１Ａ    第１の固定金具の穴
１Ｂ    第１の固定金具の片側の側面
２    第２の固定金具（下部固定金具）
２Ａ，２Ｂ    第２の固定金具の穴
２Ｃ    第２の固定金具の内部側面
３    結合ピン（コッタボルト）
３Ａ    結合ピンの外周面
４    ナット
５，１１，２１    磁気ダンパー（薄リング永久磁石貼付タイプの磁気ワッシャ）
５Ａ    断面がＴ字形状のリング状の磁性体
５Ｂ，５Ｃ    リング状の永久磁石
２１Ａ    リング状の磁性体
２１Ｂ〜２１Ｉ    孔
２１Ｊ〜２１Ｑ    円筒状の永久磁石
３１    磁気ダンパー（結合ピンの外周面に配置）
３１Ａ〜３１Ｃ    結合ピンの外周面に埋め込まれるリング状の永久磁石
【図１】
2011161961.tif 000003
【図２】
2011161961.tif 000004
【図３】
2011161961.tif 000005
【図４】
2011161961.tif 000006
【図６】
2011161961.tif 000007
【図５】
2011161961.tif 000008